(57)【要約】  プラズマディスプレイパネルは、背面板と、前記背面板と対向配置された前面板と、を備える。背面板は、縦隔壁（１３ａ）と、縦隔壁（１３ａ）と直交する横隔壁（１３ｂ）と、を有する。前面板は、横隔壁（１３ｂ）と平行な第１透明電極（５ａ）と、縦隔壁と平行な複数の第２透明電極（６ｃ）と、を有する。さらに、前面板は、同一幅を有し同一間隔に配置された複数のバス電極を有する。複数のバス電極は、第１透明電極（５ａ）と電気的に接続された第１バス電極（５ｂ）と、複数の第２透明電極（６ｃ）と電気的に接続された第２バス電極（６ｂ）と、を含む。第２バス電極（６ｂ）は、横隔壁（１３ｂ）に相対する位置に形成されている。
2011096191.tif 000002
【特許請求の範囲】
【請求項１】
背面板と、前記背面板と対向配置された前面板と、を備え、
前記背面板は、縦隔壁と前記縦隔壁と直交する横隔壁とを有し、
前記前面板は、前記横隔壁と平行な第１透明電極と、前記縦隔壁と平行な複数の第２透明電極と、を有し、
さらに、前記前面板は、同一幅を有し同一間隔に配置された複数のバス電極を有し、
前記複数のバス電極は、前記第１透明電極と電気的に接続された第１バス電極と、前記複数の第２透明電極と電気的に接続された第２バス電極と、を含み、
前記第２バス電極は、前記横隔壁に相対する位置に形成されている、
プラズマディスプレイパネル。
【請求項２】
さらに、前記前面板は、前記複数の第２透明電極を電気的に接続する第３透明電極を有する、
請求項１に記載のプラズマディスプレイパネル。
【請求項３】
前記第３透明電極は、前記横隔壁に相対する位置に形成されている、
請求項２に記載のプラズマディスプレイパネル。
【請求項４】
前記第３透明電極は、第２バス電極と平行であり、かつ、前記複数の第２透明電極の少なくとも一方の端部に形成されている、
請求項２に記載のプラズマディスプレイパネル。
【請求項５】
前記前面板は、前記第３透明電極を少なくとも２つ有し、
一方の第３透明電極は、前記複数の第２透明電極の一方の端部に形成され、
他方の第３透明電極は、前記複数の第２透明電極の他方の端部に形成されている、
請求項４に記載のプラズマディスプレイパネル。
【請求項６】
前記一方の第３透明電極と前記第２バス電極との間隔は、前記他方の第３透明電極と前記第２バス電極との間隔と同一である、
請求項５に記載のプラズマディスプレイパネル。
【発明の詳細な説明】
【技術分野】
【０００１】
本開示の技術は、表示デバイスに用いられるプラズマディスプレイパネルに関するものである。
【背景技術】
【０００２】
プラズマディスプレイパネル（以下、ＰＤＰと称する）は、一対の基板間に放電空間が形成されるように対向して配置された構造をしている。放電空間は、基板に配置された隔壁で複数に仕切られ、複数の放電セルが構成されている。基板には、隔壁で仕切られた放電空間で放電を発生させるために、表示電極とデータ電極が配置されている。基板には、放電により赤色、緑色、青色に発光する蛍光体が設けられている。ＰＤＰは、放電で発生する紫外光によって蛍光体を励起し、放電セルからそれぞれ赤色、緑色、青色の可視光を発して画像の表示を行っている。【０００３】
ＰＤＰにおいて、画像表示の際の発光輝度を増加させるために、表示電極は、幅広で帯状の透明電極と、透明電極に金属電極であるバスラインとを重ねた構成である。これにより、表示電極の面積が拡大する。この構成により増大する放電電流を抑えるため、または、透明電極をなくして工程数を削減するために、表示電極が複数の部分に分割され開口部が設けられた表示電極が用いられている（例えば、特許文献１参照）。
【先行技術文献】
【特許文献】
【０００４】
【特許文献１】国際公開第０２／０１７３４５号
【発明の概要】
【０００５】
プラズマディスプレイパネルは、背面板と、背面板と対向配置された前面板と、を備える。背面板は、縦隔壁と、縦隔壁と直交する横隔壁と、を有する。前面板は、横隔壁と平行な第１透明電極と、縦隔壁と平行な複数の第２透明電極と、を有する。さらに、前面板は、同一幅を有し同一間隔に配置された複数のバス電極を有する。複数のバス電極は、第１透明電極と電気的に接続された第１バス電極と、複数の第２透明電極と電気的に接続された第２バス電極と、を含む。第２バス電極は、横隔壁に相対する位置に形成されている。
【図面の簡単な説明】
【０００６】
【図１】図１は、本実施の形態に係るＰＤＰを示す分解斜視図である。
【図２】図２は、本実施の形態に係るＰＤＰの放電セル部分の構成を示す断面図である。
【図３】図３は、本実施の形態に係るＰＤＰの電極配列図である。
【図４】図４は、本実施の形態に係るＰＤＰを用いたプラズマディスプレイ装置の全体構成を示すブロック図である。
【図５】図５は、本実施の形態に係るＰＤＰの各電極に印加する駆動電圧波形を示す波形図である。
【図６】図６は、本実施の形態に係るＰＤＰの表示電極を構成する走査電極および維持電極と隔壁との配置関係を示す平面図である。
【図７】図７は、本実施の形態に係るＰＤＰの表示電極を構成する走査電極および維持電極と隔壁との配置関係の他の例を示す平面図である。
【発明を実施するための形態】
【０００７】
（実施の形態）
まず、本実施の形態に係るＰＤＰ１００の全体構成が、図１〜図３を用いて説明される。
【０００８】
図１に示されるように、ＰＤＰ１００は、前面板１と背面板２とで構成されている。
【０００９】
前面板１は、基板４、表示電極７、誘電体層８および保護膜９で構成されている。ガラス製の基板４上に、導電性の表示電極７が行方向に複数本配列されている。表示電極７は、走査電極５と維持電極６とで構成されている。走査電極５と維持電極６とは、間に放電ギャップを設けて互いに平行に配置されている。走査電極５と維持電極６とは、走査電極５、維持電極６、維持電極６、走査電極５の順で形成されている。ガラス材料からなる誘電体層８は、走査電極５と維持電極６とを覆うように形成されている。誘電体層８上には、酸化マグネシウム（ＭｇＯ）からなる保護膜９が形成されている。
【００１０】
図２に示されるように、走査電極５は、横隔壁１３ｂと平行な第１透明電極５ａと、第１透明電極５ａと電気的に接続された第１バス電極５ｂと、を有する。
【００１１】
維持電極６は、後に図６に示されるように、縦隔壁１３ａと平行な複数の第２透明電極６ｃと、複数の第２透明電極６ｃと電気的に接続された第２バス電極６ｂと、横隔壁１３ｂと平行な第３透明電極６ａと、を有する。第２バス電極６ｂは、横隔壁１３ｂに相対する位置に形成されている。
【００１２】
ここで、第１バス電極５ｂと第２バス電極６ｂとは、同一幅を有し同一間隔に複数配置されている。
【００１３】
第１透明電極５ａ、第２透明電極６ｃおよび第３透明電極６ａは、インジウムスズ酸化物（ＩＴＯ）などである。第１バス電極５ｂ、第２バス電極６ｂは、黒色顔料、ガラス材料および銀（Ａｇ）などの導電性金属を含む。走査電極５と維持電極６との構成は、後に詳述される。
【００１４】
図１に示されるように、背面板２は、基板１０と、絶縁体層１１と、データ電極１２と、隔壁１３と、蛍光体層１４Ｒ、１４Ｇ、１４Ｂとで構成されている。ガラス製の基板１０上に、Ａｇからなる複数本のデータ電極１２が設けられている。データ電極１２は、列方向にストライプ状に配列されている。データ電極１２は、ガラス材料からなる絶縁体層１１で覆われている。絶縁体層１１上には、ガラス材料からなる井桁状の隔壁１３が設けられている。隔壁１３は、縦隔壁１３ａと縦隔壁１３ａと直交する横隔壁１３ｂとを有する。前面板１と背面板２との間に形成される放電空間３を、放電セル１５毎に区画する。絶縁体層１１の表面および隔壁１３の側面には、赤色（Ｒ）、緑色（Ｇ）、青色（Ｂ）の蛍光体層１４Ｒ、１４Ｇ、１４Ｂが設けられている。
【００１５】
ここで、図２に示されるように、放電セル１５を形成する井桁形状の隔壁１３は、縦隔壁１３ａと、横隔壁１３ｂとから構成されている。縦隔壁１３ａは、データ電極１２に平行に形成されている。横隔壁１３ｂは、縦隔壁１３ａに直交するように形成されている。蛍光体層１４Ｒ、１４Ｇ、１４Ｂは、縦隔壁１３ａに沿ってストライプ状に、隔壁１３内に塗布されている。蛍光体層１４Ｒ、１４Ｇ、１４Ｂは、青色蛍光体層１４Ｂ、赤色蛍光体層１４Ｒ、緑色蛍光体層１４Ｇの順に配列されている。
【００１６】
そして、走査電極５および維持電極６とデータ電極１２とが交差するように、前面板１と背面板２とは対向配置される。図３に示されるように、走査電極５および維持電極６とデータ電極１２とが交差する領域には、放電セル１５が設けられている。放電空間３には、放電ガスとして、例えばネオンとキセノンの混合ガスが封入されている。なお、ＰＤＰ１００の構造は上述したものに限られるわけではない。ＰＤＰ１００の構造は、例えばストライプ状の隔壁を備えたものでもよい。
【００１７】
走査電極５は、行方向に長いｎ本の走査電極Ｙ１、Ｙ２、Ｙ３・・・Ｙｎで構成されている。維持電極６は、行方向に長いｎ本の維持電極Ｘ１、Ｘ２、Ｘ３・・・Ｘｎで構成されている。データ電極１２は、列方向に長いｍ本のデータ電極Ａ１・・・Ａｍで構成されている。１対の走査電極Ｙｐおよび維持電極Ｘｐ（１≦ｐ≦ｎ）と、１本のデータ電極Ａｑ（１≦ｑ≦ｍ）と、が交差した領域には、放電セル１５が形成されている。放電セル１５は、放電空間３内にｍ×ｎ個形成されている。走査電極５および維持電極６は、走査電極Ｙ１−維持電極Ｘ１−維持電極Ｘ２−走査電極Ｙ２・・・のパターンで、前面板１に形成されている。走査電極５および維持電極６は、放電セル１５が形成された画像表示領域の外に設けられた駆動回路の端子に接続されている。
【００１８】
次に、上述したＰＤＰ１００を用いたプラズマディスプレイ装置２００の全体構成および駆動方法が説明される。
【００１９】
図４に示されるように、プラズマディスプレイ装置２００は、図１〜図３に示される構成のＰＤＰ１００、画像信号処理回路１６、データ電極駆動回路１７、走査電極駆動回路１８、維持電極駆動回路１９、タイミング発生回路２０および電源回路（図示せず）を備えている。データ電極駆動回路１７は、ＰＤＰ１００のデータ電極１２の一端に接続されている。データ電極駆動回路１７は、データ電極１２に電圧を供給するための半導体素子からなる複数のデータドライバを有している。データ電極１２は、数本ずつのデータ電極１２を１ブロックとして複数のブロックに分割されている。データ電極１２は、そのブロック単位で複数のデータドライバをＰＤＰ１００の下端部に設けられた電極引出部に接続されている。
【００２０】
図４において、画像信号処理回路１６は、画像信号ｓｉｇをサブフィールド毎の画像データに変換する。データ電極駆動回路１７は、サブフィールド毎の画像データを各データ電極Ａ１〜Ａｍに対応する信号に変換し、各データ電極Ａ１〜Ａｍを駆動する。タイミング発生回路２０は、水平同期信号Ｈおよび垂直同期信号Ｖをもとにして各種のタイミング信号を発生させ、各駆動回路ブロックに各種のタイミング信号を供給する。走査電極駆動回路１８は、タイミング信号にもとづいて走査電極Ｙ１〜Ｙｎに駆動電圧波形を供給する。維持電極駆動回路１９は、タイミング信号にもとづいて維持電極Ｘ１〜Ｘｎに駆動電圧波形を供給する。なお、維持電極の一端は、ＰＤＰ１００内、またはＰＤＰ１００外において共通に接続され、その共通に接続された配線は、維持電極駆動回路１９に接続されている。
【００２１】
次に、ＰＤＰ１００を駆動するための駆動電圧波形とその動作が図５を用いて説明される。
【００２２】
本実施の形態に係るＰＤＰ１００において、１フィールドは複数のサブフィールドに分割され、それぞれのサブフィールドは、初期化期間、書込み期間、維持期間を有している。
【００２３】
第１サブフィールドの初期化期間では、データ電極Ａ１〜Ａｍおよび維持電極Ｘ１〜Ｘｎは０（Ｖ）に保持される。走査電極Ｙ１〜Ｙｎは、放電開始電圧以下となる電圧Ｖｉ１（Ｖ）から放電開始電圧を超える電圧Ｖｉ２（Ｖ）に向かって緩やかに上昇するランプ電圧を印加される。すると、すべての放電セル１５において１回目の微弱な初期化放電が発生し、走査電極Ｙ１〜Ｙｎ上に負の壁電圧が蓄えられる。また、維持電極Ｘ１〜Ｘｎ上およびデータ電極Ａ１〜Ａｍ上に正の壁電圧が蓄えられる。これにより、ここで、電極上の壁電圧とは、電極を覆う誘電体層および蛍光体層上等に蓄積した壁電荷により生じる電圧を指す。
【００２４】
その後、維持電極Ｘ１〜Ｘｎは正の電圧Ｖｈ（Ｖ）に保たれ、走査電極Ｙ１〜Ｙｎは、電圧Ｖｉ３（Ｖ）から電圧Ｖｉ４（Ｖ）に向かって緩やかに下降するランプ電圧を印加される。すると、すべての放電セル１５において２回目の微弱な初期化放電が起こる。これにより、走査電極Ｙ１〜Ｙｎ上と維持電極Ｘ１〜Ｘｎ上との間の壁電圧は、弱められ、書込み動作に適した値に調整される。データ電極Ａ１〜Ａｍ上の壁電圧も書込み動作に適した値に調整される。
【００２５】
続く書込み期間では、走査電極Ｙ１〜Ｙｎは一旦Ｖｒ（Ｖ）に保持される。次に、１行目の走査電極Ｙ１は、負の走査パルス電圧Ｖａ（Ｖ）を印加される。また、データ電極Ａ１〜Ａｍのうち１行目に表示すべき放電セル１５のデータ電極Ａｋ（ｋ＝１〜ｍ）は、正の書込みパルス電圧Ｖｄ（Ｖ）を印加される。このときデータ電極Ａｋと走査電極Ｙ１との交差部の電圧は、外部印加電圧（Ｖｄ−Ｖａ）（Ｖ）にデータ電極Ａｋ上の壁電圧と走査電極Ｙ１上の壁電圧とが加算されたものとなり、放電開始電圧を超える。そして、データ電極Ａｋと走査電極Ｙ１との間および維持電極Ｘ１と走査電極Ｙ１との間に書込み放電が起こる。これにより、この放電セル１５の走査電極Ｙ１上に正の壁電圧が蓄積され、維持電極Ｘ１上に負の壁電圧が蓄積される。このとき、データ電極Ａｋ上にも負の壁電圧が蓄積される。
【００２６】
このようにして、１行目に表示すべき放電セル１５で書込み放電が起こり、各電極上に壁電圧を蓄積する書込み動作が行われる。一方、書込みパルス電圧Ｖｄ（Ｖ）が印加されなかったデータ電極Ａ１〜Ａｍと走査電極Ｙ１との交差部の電圧は放電開始電圧を超えないので、書込み放電は発生しない。以上の書込み動作がｎ行目の放電セル１５に至るまで順次行われ、書込み期間が終了する。
【００２７】
続く維持期間では、走査電極Ｙ１〜Ｙｎには第１の電圧として正の維持パルス電圧Ｖｓ（Ｖ）が印加される。維持電極Ｘ１〜Ｘｎには第２の電圧として接地電位、すなわち０（Ｖ）が印加される。このとき書込み放電を起こした放電セル１５においては、走査電極Ｙｉ（ｉ＝１〜ｎ）上と維持電極Ｘｉ上との間の電圧は、維持パルス電圧Ｖｓ（Ｖ）に走査電極Ｙｉ上の壁電圧と維持電極Ｘｉ上の壁電圧とが加算されたものとなり、放電開始電圧を超える。そして、走査電極Ｙｉと維持電極Ｘｉとの間に維持放電が起こり、このとき発生した紫外線により蛍光体層が発光する。そして走査電極Ｙｉ上に負の壁電圧が蓄積され、維持電極Ｘｉ上に正の壁電圧が蓄積される。このときデータ電極Ａｋ上にも正の壁電圧が蓄積される。
【００２８】
書込み期間において書込み放電が起きなかった放電セル１５では、維持放電は発生せず、初期化期間の終了時における壁電圧が保持される。続いて、走査電極Ｙ１〜Ｙｎには第２の電圧である０（Ｖ）が印加される。維持電極Ｘ１〜Ｘｎには第１の電圧である維持パルス電圧Ｖｓ（Ｖ）が印加される。すると、維持放電を起こした放電セル１５では、維持電極Ｘｉ上と走査電極Ｙｉ上との間の電圧が放電開始電圧を超えるので、再び維持電極Ｘｉと走査電極Ｙｉとの間に維持放電が起こる。そして維持電極Ｘｉ上に負の壁電圧が蓄積され、走査電極Ｙｉ上に正の壁電圧が蓄積される。
【００２９】
以降同様に、走査電極Ｙ１〜Ｙｎと維持電極Ｘ１〜Ｘｎとに交互に輝度重みに応じた数の維持パルスが印加されることにより、書込み期間において書込み放電を起こした放電セル１５で維持放電が継続して行われる。こうして維持期間における維持動作が終了する。続くサブフィールドにおける初期化期間、書込み期間、維持期間の動作も第１サブフィールドにおける動作とほぼ同様のため、説明は省略される。
【００３０】
次に、本実施の形態に係るＰＤＰ１００の表示電極７の構成が、図６を用いて、さらに詳細に説明される。図６にかかる縦隔壁１３ａおよび横隔壁１３ｂは、説明の便宜のため、紙面において表示電極７より奥側に示される。しかし、実際の縦隔壁１３ａおよび横隔壁１３ｂは、紙面において表示電極７より手前側に配置される。
【００３１】
図６に示されるように、表示電極７は、走査電極５と維持電極６で構成されている。走査電極５は、第１透明電極５ａと第１バス電極５ｂとで構成されている。維持電極６は、第２透明電極６ｃ、第３透明電極６ａおよび第２バス電極６ｂで構成されている。
【００３２】
前面板１には、第１透明電極５ａ、第２透明電極６ｃおよび第３透明電極６ａが形成されている。第１透明電極５ａは、横隔壁１３ｂと平行に複数形成されている。第２透明電極６ｃは、縦隔壁１３ａ平行に複数形成されている。第３透明電極６ａは、横隔壁１３ｂと平行に複数形成されている。第３透明電極６ａは、複数の第２透明電極６ｃの両側の端部を電気的に接続する。
【００３３】
また、前面板１には、第１バス電極５ｂおよび第２バス電極６ｂが複数形成されている。第１バス電極５ｂは、第１透明電極５ａと電気的に接続されている。第２バス電極６ｂは、複数の第２透明電極６ｃと電気的に接続されている。第２バス電極６ｂは、横隔壁１３ｂに相対する位置に形成されている。第１バス電極５ｂと第２バス電極６ｂとは、同一幅を有し同一間隔に配置されている。つまり、第１バス電極５ｂの幅Ｗ１と第２バス電極６ｂの幅Ｗ２とは、同一である。また、第１バス電極５ｂと第２バス電極６ｂとの間隔Ｓ１および隣り合う第１バス電極５ｂの間隔Ｓ２は、同一である。第１バス電極５ｂと第２バス電極６ｂとは、第２バス電極６ｂ、第１バス電極５ｂ、第２バス電極６ｂの順で形成されている。第２透明電極６ｃの両側の端部に形成された第３透明電極６ａのうち一方の第３透明電極６ａと第２バス電極６ｂとの間隔Ｗ３は、他方の第３透明電極６ａと第２バス電極６ｂとの間隔Ｗ４と同一である。第３透明電極６ａは、第２バス電極６ｂと平行に複数形成されている。第１透明電極５ａと第３透明電極６ａとの間には複数の放電ギャップが設けられている。
【００３４】
このように、本実施の形態のＰＤＰ１００は、第２バス電極６ｂが横隔壁１３ｂに相対する位置に形成された構成としている。この構成は、放電セル１５を構成する維持電極６の第２バス電極６ｂが放電セル１５内に存在しないため、放電セル１５の開口率を向上させることができる。これにより、本実施の形態のＰＤＰ１００は、放電セル１５から光を取り出す効率が向上し、発光効率を向上させることができる。
【００３５】
さらに、本実施の形態のＰＤＰ１００は、第１バス電極５ｂおよび第２バス電極６ｂが、同一幅かつ同一間隔に形成された構成としている。よって、ＰＤＰ１００を点灯させないときに第１バス電極５ｂおよび第２バス電極６ｂが目立たない。つまり、本実施の形態のＰＤＰ１００は、第１バス電極５ｂおよび第２バス電極６ｂが縞模様として認識されることを抑制できる。さらに、第１バス電極５ｂおよび第２バス電極６ｂが黒色顔料を有していても、第１バス電極５ｂおよび第２バス電極６ｂが縞模様として認識されることを抑制できる。
【００３６】
なお、第２透明電極６ｃは、縦隔壁１３ａと平行で、かつ、第２バス電極６ｂの片側に形成されていてもよい。そして、第３透明電極６ａは、第２バス電極６ｂと平行で、かつ、複数の第２透明電極６ｃの一方の端部に形成されていてもよい。その場合、走査電極５と維持電極６とは、走査電極５、維持電極６、走査電極５、維持電極６の順で形成することができる。
【００３７】
また、図７に他の実施の形態が示される。図７に示された隔壁１３は、本来、紙面において手前側に配置されているが、説明の便宜のため、走査電極５おとび維持電極６の背面に示されている。図７に示されるように、第３透明電極６ａは、横隔壁１３ｂに相対する位置に形成されていてもよい。走査電極５は、第１透明電極５ａと第１バス電極５ｂとで構成されている。維持電極６は、第２透明電極６ｃ、第３透明電極６ａおよび第２バス電極６ｂで構成されている。
【００３８】
前面板１には、第１透明電極５ａ、第２透明電極６ｃおよび第３透明電極６ａが形成されている。第１透明電極５ａは、横隔壁１３ｂと平行に複数形成されている。第２透明電極６ｃは、縦隔壁１３ａ平行に複数形成されている。第３透明電極６ａは、横隔壁１３ｂに相対する位置に形成されている。第３透明電極６ａは、複数の第２透明電極６ｃと電気的に接続されている。第３透明電極６ａは、第２バス電極６ｂと電気的に接続されている。
【００３９】
また、前面板１には、第１バス電極５ｂおよび第２バス電極６ｂが複数形成されている。第１バス電極５ｂは、第１透明電極５ａと電気的に接続されている。第２バス電極６ｂは、複数の第２透明電極６ｃと電気的に接続されている。第２バス電極６ｂは、横隔壁１３ｂに相対する位置に形成されている。第１バス電極５ｂと第２バス電極６ｂとは、同一幅を有し同一間隔に配置されている。つまり、第１バス電極５ｂの幅Ｗ１と第２バス電極６ｂの幅Ｗ２とは、同一である。また、第１バス電極５ｂと第２バス電極６ｂとの間隔Ｓ１および隣り合う第１バス電極５ｂの間隔Ｓ２は、同一である。第１バス電極５ｂと第２バス電極６ｂとは、第２バス電極６ｂ、第１バス電極５ｂ、第２バス電極６ｂの順で形成されている。第１透明電極５ａと第２透明電極６ｃとの間には複数の放電ギャップが設けられている。
【００４０】
図７では他の実施の形態が例示されたが、実施の形態は、この構成に限られない。さらに、他の実施の形態として、第３透明電極６ａは、形成されなくもよい。但し、第３透明電極６ａは、形成されることで、第２透明電極６ｃと第３透明電極６ａとの接触面積が増加する。接触面積が増加すると、第２透明電極６ｃと第３透明電極６ａとの接触抵抗は低減される。これにより、第３透明電極６ａが形成されたＰＤＰ１００は、形成されないＰＤＰ１００より、維持放電の発生に必要な電圧を低減することができる。
【００４１】
以上のように、本実施の形態のＰＤＰ１００は、第１バス電極５ｂおよび第２バス電極６ｂを同一幅かつ同一間隔に配置したことで、ＰＤＰ１００を点灯させないときに第１バス電極５ｂおよび第２バス電極６ｂが縞模様として認識されることを抑制することができる。また、本実施の形態のＰＤＰ１００は、第２バス電極６ｂを横隔壁１３ｂに相対する位置に形成したことで、放電セル１５から光を取り出す効率が向上し、発光効率を向上させることができる。
【産業上の利用可能性】
【００４２】
以上のように本開示の技術は、プラズマディスプレイパネルの消灯時の見栄えを良化させる上で有用である。
【符号の説明】
【００４３】
１    前面板
２    背面板
３    放電空間
４，１０    基板
５    走査電極
５ａ    第１透明電極
５ｂ    第１バス電極
６    維持電極
６ａ    第３透明電極
６ｂ    第２バス電極
６ｃ    第２透明電極
７    表示電極
８    誘電体層
９    保護膜
１１    絶縁体層
１２    データ電極
１３    隔壁
１３ａ    縦隔壁
１３ｂ    横隔壁
１４Ｒ，１４Ｇ，１４Ｂ    蛍光体層
１５    放電セル
１６    画像信号処理回路
１７    データ電極駆動回路
１８    走査電極駆動回路
１９    維持電極駆動回路
２０    タイミング発生回路
１００    ＰＤＰ
２００    プラズマディスプレイ装置
【図１】
2011096191.tif 000003
【図２】
2011096191.tif 000004
【図３】
2011096191.tif 000005
【図４】
2011096191.tif 000006
【図５】
2011096191.tif 000007
【図６】
2011096191.tif 000008
【図７】
2011096191.tif 000009
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
背面板と、前記背面板と対向配置された前面板と、を備え、前記背面板は、縦隔壁と前記縦隔壁と直交する横隔壁とを有し、前記前面板は、前記横隔壁と平行な第１透明電極と、前記縦隔壁と平行な複数の第２透明電極と、を有し、
さらに、前記前面板は、同一幅を有し同一間隔に配置された複数のバス電極を有し、
前記複数のバス電極は、前記第１透明電極と電気的に接続された第１バス電極と、前記複数の第２透明電極と電気的に接続された第２バス電極と、を含み、
前記第１透明電極と前記第１バス電極とから構成される第１電極と前記第２透明電極と前記バス電極とから構成される第２電極は、第１電極−第１電極−第２電極の順序で繰り返し配置され、
前記第２バス電極は、前記横隔壁に相対する位置に形成されている、プラズマディスプレイパネル。
【請求項２】
さらに、前記前面板は、前記複数の第２透明電極を電気的に接続する第３透明電極を有する、請求項１に記載のプラズマディスプレイパネル。
【請求項３】
前記第３透明電極は、前記横隔壁に相対する位置に形成されている、請求項２に記載のプラズマディスプレイパネル。
【請求項４】
前記第３透明電極は、第２バス電極と平行であり、かつ、前記複数の第２透明電極の少なくとも一方の端部に形成されている、請求項２に記載のプラズマディスプレイパネル。
【請求項５】
前記前面板は、前記第３透明電極を少なくとも２つ有し、一方の第３透明電極は、前記複数の第２透明電極の一方の端部に形成され、他方の第３透明電極は、前記複数の第２透明電極の他方の端部に形成されている、請求項４に記載のプラズマディスプレイパネル。
【請求項６】
前記一方の第３透明電極と前記第２バス電極との間隔は、前記他方の第３透明電極と前記第２バス電極との間隔と同一である、請求項５に記載のプラズマディスプレイパネル。
【国際調査報告】
2011096191.tif 000010
2011096191.tif 000011
2011096191.tif 000012
2011096191.tif 000013